(57)【要約】【課題】  本件は、照明したときのみマークが現れる構成とし、しかも機械的な可動部を含まず、小容積、高耐久性のスイッチ構造を提供する。【解決手段】  光透過性の基体２１２を有するとともに視界から内側を遮蔽する遮蔽膜２１３を有するカバー２１０と、そのカバーに覆われた内側に置かれた基板５２０であって、カバー２１０に向けて光を照射する発光体５２１と、その発光体を取り巻く位置に配置された、カバー外面への指の接触を検出するタッチセンサとが搭載された基板５２０と、基板５２０とカバー２１０とに挟まれた位置に置かれ、発光体から発せられカバーに向かう光の輪郭を規定する光通過部が形成されたアイコン板５４０とを備え、遮蔽膜２１３が、視界から内側を遮蔽するとともに、発光体から発せられアイコン板を通過した光を写し出す膜である。【選択図】        図２０
2009252698.tif 000002
【特許請求の範囲】
【請求項１】
光透過性の基体を有するとともに内部を視界から遮蔽する遮蔽膜を有するカバーと、
前記カバーに覆われた内部に置かれた基板であって、該カバーに向けて光を照射する発光体と、該発光体を取り巻く位置に配置された、該カバー外面への指の接触を検出するタッチセンサとが搭載された基板と、
前記基板と前記カバーとに挟まれた位置に置かれ、前記発光体から発せられ前記カバーに向かう光の輪郭を規定する光通過部が形成されたアイコン板とを備え、
前記遮蔽膜が、視界から内側を遮蔽するとともに、前記発光体から発せられ前記アイコン板を通過した光を写し出す膜であることを特徴とする電子機器。
【請求項２】
前記カバーが、該カバー内面の、前記発光体からの光の照射を受ける部分を避けた位置に形成された、内側に突出しネジ穴が形成されたボスを備え、前記基板および前記アイコン板が前記カバーの前記ボスにネジ止めされていることを特徴とする請求項１記載の電子機器。
【請求項３】
前記基板と前記アイコン板との間に、該基板と該アイコン板との間を所定間隔に保つとともに、前記発光体から発せられ前記カバーに向かう光を通過させるスペーサをさらに備えたことを特徴とする請求項１又は２記載の電子機器。
【請求項４】
前記基体の、前記カバーを向いた表面に対する裏面側に広がるシールド板をさらに備えたことを特徴とする請求項１から３のうちのいずれか１項記載の電子機器。
【請求項５】
前記基板が、さらに、当該電子機器への電源投入指示用タッチセンサが搭載された基板であり、
前記カバーが、該カバー外面の、前記電源投入指示用タッチセンサに重なる部分に、電源投入ボタンを表わすアイコンが形成されていることを特徴とする請求項１から４のうちのいずれか１項記載の電子機器。
【請求項６】
前記遮蔽膜が、前記基体外面への塗装により形成された塗膜であることを特徴とする請求項１から５のうちのいずれか１項記載の電子機器。
【請求項７】
当該電子機器が、画像を表示する表示画面を備えた電子機器であることを特徴とする請求項１から６のうちのいずれか１項記載の電子機器。
【発明の詳細な説明】
【技術分野】
【０００１】
本件は、電子機器に関する。
【背景技術】
【０００２】
電子機器では、その筐体等のカバー外面に様々な形状のマークとＬＥＤとを並べて配置し、ＬＥＤの点灯あるいは点滅等により、その電子機器が、その点灯あるいは点滅しているＬＥＤに並べて配置されたマークに対応する状態にあることをユーザに通知する構造が採用されることが多い。また、押ボタンの場合も、その押ボタンに重ねて、又はその押ボタンに隣接した位置に、その押ボタンを押したときの動作を示すマークを付けておいて、ユーザにその押ボタンを押すとどのような動作が実行されるかを知らせることが行なわれている。
【０００３】
しかしながら、複数のマークやＬＥＤなどが電子機器カバー外面に並ぶと、見た目に煩雑でありデザイン性に劣るという問題がある。
【０００４】
特許文献１には、この問題を解決する技術が提示されている。すなわち、この特許文献１には、内側にマークが描かれ外面に内側が見えないようにスモーク材料層を重ねた可撓性フィルムをカバー表面に配置し、内部に光源を備え、内部の光源からの照明でスモーク材料層の外面にマークが現われるように構成された照光スイッチが開示されている。
【０００５】
この照光スイッチによれば、光源から照明されたときのみ外面にマークが現われ、特許文献１には、この照光スイッチの採用によりデザインの自由度が増し、機器のトータルデザインを向上させることができる旨、説明がある。
【０００６】
この特許文献１の照光スイッチでは、可撓性フィルムのスモーク材料層に現れたマークを押すと、そのマークに応じた動作を行なうように、カバーの内側に押ボタンスイッチが配置されている。
【特許文献１】実開平６−３３３３４号公報
【発明の開示】
【発明が解決しようとする課題】
【０００７】
しかしながら、特許文献１の場合、可撓性フィルムの内側に光源が備えられており、その光源と同じ場所への押ボタンスイッチの配置が難しく、光源に隣接した場所に押ボタンスイッチを配置し、可撓性フィルムの、マークが現れた部分を指で押したときのその指の押圧力を、その指で押した部分に隣接した部分に配置された押ボタンスイッチに伝えるための部材を必要としている。また、可撓性シート自身も、透明シート基材上にマークやスモーク材料層を形成し、さらにマークが現れる部分以外の領域には光不透過層を形成するなど、複雑な構造を必要としている。このため、この照光スイッチは、カバー内部に占める容積が大きく、コスト高となり、さらに、押ボタンスイッチを押すたびに可撓性シートが変形することとなるため耐久性にも問題を生じる可能性が高い。
【０００８】
本件開示の電子機器の課題は、上記事情に鑑み、特許文献１と同様、照明したときのみマークが現れる構成とし、しかも機械的な可動部を含まず、小容積、高耐久性のスイッチ構造を有する電子機器を提供することにある。
【課題を解決するための手段】
【０００９】
本件開示の電子機器は、光透過性の基体を有するとともに内部を視界から遮蔽する遮蔽膜を有するカバーと、
上記カバーに覆われた内部に置かれた基板であって、上記カバーに向けて光を照射する発光体と、その発光体を取り巻く位置に配置された、カバー外面への指の接触を検出するタッチセンサとが搭載された基板と、
上記基板と上記カバーとに挟まれた位置に置かれ、発光体から発せられカバーに向かう光の輪郭を規定する光通過部が形成されたアイコン板とを備え、
上記遮蔽膜が、視界から内側を遮蔽するとともに、発光体から発せられアイコン板を通過した光を写し出す膜であることを特徴とする。
【発明の効果】
【００１０】
本件開示の電子機器によれば、上記の発光体とアイコン板、および遮蔽膜により、発光体が光を発しているときのみ、遮蔽膜上にアイコンが現われる。このため、デザイン性に優れるとともに、例えば、この電子機器に電源を投入する前はアイコンが現われず、電源投入時に発光体を点灯させることによってアイコン表示が現われ、動作状態を分かり易く示すことができるという効果を奏する。また、本件開示の電子機器によれば可動部材なしでスイッチを構成しており、構造が簡易であって薄型、高耐久性のスイッチ構造が構成される。
【発明を実施するための最良の形態】
【００１１】
以下、本件開示の発明の実施形態について説明する。
（全体構成）
図１は、パーソナルコンピュータ（以下、「ＰＣ」と略記する）の外観斜視図、図２は、図１に示すＰＣの背面側を見た外観斜視図である。
【００１２】
図１、図２に示すＰＣ１０は、前面に広がる表示画面２１を有するＰＣ本体２０を備え、ＰＣ本体２０の前面の下部には、シルク印刷によるアイコン２２が表示されている。このアイコン２２は、電源ボタンを表わしており、このアイコン２２に指を重ねると、このＰＣ本体２０に電源が投入される。
【００１３】
この図１、図２に示すＰＣ１０は、その表示画面１１を保持するＰＣ本体２０の筐体と同じ筐体内の、表示画面２１の背面側に、ＣＰＵ等からなる演算回路が搭載されている。したがって、ＰＣの通常の構成としては、キーボードを別途用意することで、ＰＣとしてのひととおりの機能を満足する。本件開示の実施形態についてはキーボードとの関連はないため、ここでのキーボードの図示および説明は省略する。
【００１４】
また、この図１、図２に示すＰＣ１０は、回転台３０と、ＰＣ本体２０の背面を支持する支持機構４０を備えている。回転台３０は、ＰＣ本体２０の表示画面２１の向きを変更するための台であり、支持機構４０は、ＰＣ本体２０をユーザの所望の高さ位置に支持するための機構である。この図２では、内部の支持機構を覆う樹脂製のカバー４１が被せられている。
（回転台）
図３は、回転台の側面図、図４は、回転台の底面図、図５は回転台の、図４に切断線Ｘ−Ｘで示す部分の断面図である。
【００１５】
この回転台３０は底面に突出するゴム足３１１を有する円環状の固定台３１０と、その固定台３１０の上面に接しその固定台３１０に対し回動する可動台３２０とを有する。
【００１６】
図４に示すようにゴム足３１１は、円周方向に等間隔に複数箇所（ここに示す例では６ヵ所）設けられており、この回転台３０を例えば机の上に置いたときに、円環状の固定台３１０が滑べらずに机の上に安定的に置かれるようにするためのものである。
【００１７】
また、図４には、２つの大きなネジ３２１が示されているが、これらの２つのネジ３２１は、支持機構４０（図２参照）を構成するポール４１０の底面に設けられているネジ穴（図示せず）に螺入してポール４１０を回転台３０に固定しているネジである。
【００１８】
図３に示すように、円環状の固定台３１０は、その上面にグリスを溜めておく窪みであるグリス溜り３１２を有し、そのグリス溜り３１２の内側および外側にグリスが外部に滲み出るのを防ぐための、円環状の溝３１３，３１４が形成されている。
【００１９】
また、可動台３２０はスタンドプレート３２２と、スタンドカバー３２３と、ソールプレート３２４を有する。
【００２０】
スタンドプレート３２２は、固定台３１０の上面に接して固定台３１０の上でスライドして回転する板材であって、固定台３１０の上面に接するスライド部３２２ａから固定台３１０の円環内側に向かって、下り斜面３２２ｂにより固定台３１０と干渉する高さに延在し、下に突出した円環状の平坦部３２２ｃを有し、さらに中央に向かって、図８に示すように、上り斜面３２２ｄによりスライド部３２２ａと同じ高さにまで上がって円板状の平坦部３２２ｅを有する形状となっている。このように、スタンドプレート３２２を単純な平板ではなく、上下に凹凸のある形状とすることにより、スタンドプレート３２２の強度を高めている。また、このスタンドプレート３２２には、ポール４１０固定用のネジ３２１が挿通する穴３２２ｆ（図８参照）が形成されている。
【００２１】
また、スタンドカバー３２３は、スタンドプレート３２２の上面を覆うとともに、側面のほとんどを覆い、この回転台３０の外観を形成している板材である。
【００２２】
さらに、ソールプレート３２４は、回転台３０の底部を覆う板材である。このソールプレート３２４は、ネジ３２５によりスタンドプレート３２２に固定されている。また、このソールプレート３２４は、中央部３２４ａが下に膨出しており、単純な平板よりも強度向上が図られている。さらに、このソールプレート３２４には、ソールプレート３２４を取り外すことなくポール３４１を取り付けたり外したりすることができるように、ポール３４１を固定するためのネジ３２１の部分に穴３２４ｂが形成されている。
【００２３】
図６は、円環状の固定台の上面を示す斜視図、図７は、図６に示す固定台の部分拡大図である。
【００２４】
この固定台３１０には周囲方向に飛び飛びにグリス溜り３１２が形成されており、これらのグリス溜り３１２にグリスを溜めておくことにより、この固定台３１０の上に乗る、可動台３２０のスタンドプレート３２２の摺動性を向上させている。
【００２５】
また、この固定台３１０の上面には、グリス溜り３１２の内側および外側に一周する溝３１３，３１４が形成されている。これらの溝３１３，３１４は、グリス溜り３１２から漏れ出たグリスがこの固定台３１０の外部に滲み出すのを防止するための溝である。
【００２６】
図８は、固定台とその固定台の上に乗ったスタンドプレートを、それらの底面側から見た図、図９は、図８に示す底面側の一部の拡大図である。ここでは、ソールプレート３２４およびポール４１０は取り外されている。
【００２７】
ソールプレート３２４は、スタンドプレート３２２の底面に立設した６本のボス３２６の中央に形成されたネジ穴を使って、図４に示すように、ネジ３２５でスタンドプレート３２２にネジ止めされる。
【００２８】
ここで、固定台３１０は、その円環の半径方向の内径側の径を形成する内端面３１５が、その半径方向の段差からなる２つのストッパ３１６，３１７を境にしてほぼ半円にわたる、半径の大きな内端面３１５ａと、残りの半円にわたる、ストッパ３１６，３１７の段差の分だけ半径が小さな内端面３１５ｂとを有し、スタンドプレート３２２の底面に立設した６本のボス３２６のうちの１つのボス３２６ａは、半径の大きな内端面３１５ａに接し、残りの５つのボス３２６ｂは、半径の小さな内端面３１５ｂに接することのできる位置に設けられている。
【００２９】
１つのボス３２６ａと２つのストッパ３１６，３１７によりスタンドプレート３２２の回転角度が規制されている。
【００３０】
図８、図９は、１つのボス３２６ａが、２つのストッパ３１６，３１７のうちの一方のストッパ３１６に当接した状態を示しており、この状態が、スタンドプレート３２２の回転角度の一方の端となる。また、この状態では、図８に示すように、固定台３１０の内端面３１５は、その１つのボス３２６ａと、残りの５つのボス３２６ｂのうちの３つのボス３２６ｂとにより、固定台３１０とスタンドプレート３２２との位置規制がなされている。
【００３１】
図１０は、図８と同様、固定台とスタンドプレートの底面を示す図であり、図８と比べスタンドプレートが回転した状態を示している。
【００３２】
図１０では、図８と比べスタンドプレート３２２が回転しており、ボス３２６ａが２つのストッパ３１６，３１７のいずれからも離れた位置にある。このときも図８の場合と同様、固定台３１０の内端面３１５は、そのボス３２６ａと、残りのボス３２６ｂのうちの３つのボス３２６ｂとにより位置規制されている。
【００３３】
図１１は、スタンドプレートが、図８、図９とは逆方向の端まで回転した状態を示す一部拡大図である。
【００３４】
ボス３２６ａは、図８、図９で当接しているストッパ３１６とは別のもう一方のストッパ３１７に当接しており、これにより、スタンドプレート３２２の、もう一方の回転限界が規定されている。
【００３５】
このように、この回転台３０には、回転角度を規制する構造が採用されており、図１に示す表示画面２１の向きの角度が約１６０°の範囲内に規制されている。これは、表示画面２１の向きをこの角度範囲内で調整できれば十分であり、かつ、図１、図２には電源ケーブルや各種のコードは図示省略しているが実際にはＰＣ本体２０に様々なケーブルやコードが接続されており、自由に回転できた場合におけるそれらのケーブルやコードが巻き付いてしまうのを防止するためである。
（支持構造）
上述した回転台３０には、例えば図２に示すように、ポール４１０が立設し、そのポール４１０には、ＰＣ本体２０の背面が取り付けられている。
【００３６】
図１２は、ＰＣ本体２０の背面の、取付金具の部分を示す斜視図である。
【００３７】
このＰＣ本体２０の背面には、このＰＣ本体２０をポール４１０（図２参照）に取り付けるための取付金具４２０が固定されている。この取付金具４２０は、デザイン上および安全上の観点からポール４１０に取り付けるための取付面４２１以外はＰＣ本体２０の筐体の突起２０１や樹脂枠４２９で覆われている。
【００３８】
この取付金具４２０の取付面４２１には、上下に並んだ２つのネジ穴４２２ａ，４２２ｂの組が左右にひと組ずつ、合計４つのネジ穴が形成されており、さらに、左右に１つずつ係合穴４２３が形成され、さらに中央上部（図１２では下側）にフック４２４が形成されている。
【００３９】
図１３は、ＰＣ本体背面に固定されている取付金具をＰＣ本体から外しＰＣ本体側から見た斜視図である。
【００４０】
この図１３には、ＰＣ本体２０にネジ止めするための左右２つの固定部４２５が示されており、各固定部４２５には取付穴４２５ａが２つずつ形成されている。取付金具４２０は、これらの取付穴４２５ａを使ってＰＣ本体２０にネジ止めされる。
【００４１】
また、この図１３に示すようにこの取付金具４２０には左右に１つずつ摩擦締結部４２６が備えられており、ＰＣ本体２０の表示画面２１の向きを上下方向にある程度の角度範囲でチルトさせることができる構造となっている。
【００４２】
このチルトさせるのに要する力は、摩擦締結部４２６に設けられたナット４２６ａを回すことにより調整されている。
【００４３】
図１４は、ポールに固定されたモニタ取付部材を、ＰＣ本体側から見た図である。
【００４４】
図２に示すように、ポール４１０は、下方から上方に延び上部で反転して上方から下方に延びることにより、上部を除き互いに平行に延びる２本のポール部分で形成されたものであり、モニタ取付部材４３０は、このポール４１０の、上下に平行に延びる２本のポール部分に固定されている。このモニタ取付部材４３０は、この図１４に示す樹脂板４４０と、この図１４上では樹脂板４４０の裏に隠れた位置に配置されて金属板４５０（図１５参照）とを有する。樹脂板４４０は、６本のネジ４４で金属板４５０に固定されている。
【００４５】
この樹脂板４４０には、図１２に示す上下に並ぶ２つのネジ穴４２２ａ，４２２ｂの間隔と同じピッチで上下に並ぶ４つのネジ挿通孔４４２ａ，４４２ｂ，４４２ｃ，４４２ｄの組が左右に２組形成され、その中央部には、上下に同じピッチで並ぶフック挿通孔４４３ａ，４４３ｂ，４４３ｃが形成されている。さらに、左右のネジ挿通孔４４２ａ，４４２ｂ，４４２ｃ，４４２ｄと、中央のフック挿通孔４４３ａ，４４３ｂ，４４３ｃとの間には、上下に並ぶ３つの突部４４４ａ，４４４ｂ，４４４ｃが左右にひと組ずつ形成されている。これら上下に並ぶ３つの突部４４４ａ，４４４ｂ，４４４ｃのうちの中央の突部４４４ｂは、中央に抉られた穴（図示せず）が形成されて金属板４５０（図１５参照）へのネジ締結部としても利用されている。これらの突部４４４ａ，４４４ｂ，４４４ｃは、いずれもが図１２に示す係合穴４２３に嵌入する外形寸法を有している。
【００４６】
図１５は、モニタ取付部材４３０を、金属板４５０側から見た斜視図である。
【００４７】
この金属板４５０には、図１２に示す上下に並ぶ２つのネジ穴４２２ａ，４２２ｂの間隔と同じピッチで上下に並ぶ４つの取付穴４５１ａ，４５１ｂ，４５１ｃ，４５１ｄの組が左右に２組形成され、その中央部には、上下に同じピッチで並ぶフック係止穴４６１ａ，４６１ｂ，４６１ｃが形成されている。
【００４８】
ここで、左右４つずつの取付穴４５１ａ，４５１ｂ，４５１ｃ，４５１ｄは、図１４に示す樹脂板４４０に形成された左右４つずつのネジ挿通孔４４２ａ，４４２ｂ，４４２ｃ，４４２ｄとそれぞれ同一の位置にあり、上下のピッチおよび左右の間隔も図１２に示す左右２つずつのネジ穴４２２ａ，４２２ｂの上下の間隔および左右の間隔と一致している。
【００４９】
また、金属板４５０に形成された上下に並ぶ３つのフック係止穴４６１ａ，４６１ｂ，４６１ｃも、樹脂板４４０に形成され上下に並ぶ３つのフック挿通孔４４３ａ，４４３ｂ，４４３ｃとそれぞれ同一の位置に形成されている。
【００５０】
ここで、図１５では、図１２に示す取付金具４２１のフック４２４が３つのフック係止穴４６１ａ，４６１ｂ，４６１ｃのうちの１番上のフック係止穴４６１ａに入り込んでいる。このとき、図１４に示す樹脂板４４０に形成された上下に３つ並ぶ突部４４４ａ，４４４ｂ，４４４ｃのうちの１番上の突部４４４ａが図１２に示す係合穴４２３に嵌入し、これにより上下に４つ並ぶ取付穴４５１ａ，４５１ｂ，４５１ｃ，４５１ｄのうちの１番上の取付穴４５１ａが、図１２に示す上下に２つ並ぶネジ穴４２２ａ，４２２ｂのうちの上のネジ穴４２２ａと一致するとともに、２番目の取付穴４５１ｂが、下のネジ穴４２２ｂに一致する。この状態で、２つの取付穴４５１ａ，４５１ｂおよび２つのネジ穴４２２ａ，４２２ｂを使ってネジ止めすると、ＰＣ本体２０（図１参照）が最も高い位置に固定される。
【００５１】
図１６は、中央のフック係止穴にフックが入り込んでいる状態を示す、図１５と同様の図である。
【００５２】
図１６では、図１２に示す取付金具４２１のフック４２４が、３つのフック係止穴４６１ａ，４６１ｂ，４６１ｃのうちの２番目のフック係止穴４６１ｂに入り込んでおり、このとき、図１４に示す樹脂板４４０に形成された、上下に３つ並ぶ突部４４４ａ，４４４ｂ，４４４ｃのうちの２番目の突部４４４ｂが図１２に示す係合穴４２３に嵌入し、これにより、上下に４つ並ぶ取付穴４５１ａ，４５１ｂ，４５１ｃ，４５１ｄのうちの２番目の取付穴４５１ｂが、図１２に示す上下に２つ並ぶネジ穴４２２ａ，４２２ｂのうちの上のネジ穴４２２ａと一致するとともに、３番目の取付穴４５１ｃが下のネジ穴４２２ｂに一致する。この状態で２つの取付穴４５１ｂ，４５１ｃおよび２つのネジ穴４２２ａ，４２２ｂを使ってネジ止めすると、ＰＣ本体２０（図１参照）が図１５の場合よりも少し低い位置に固定される。
【００５３】
図１７は、１番下のフック係止穴にフックが入り込んでいる状態を示す、図１５、図１６と同様の図である。
【００５４】
図１７では、図１２に示す取付金具４２１のフック４２４が、３つのフック係止穴４６１ａ，４６１ｂ，４６１ｃのうちの１番下のフック係止穴４６１ｃに入り込んでおり、このとき、図１４に示す樹脂板４４０に形成された、上下に３つ並ぶ突部４４４ａ，４４４ｂ，４４４ｃのうちの１番下の突部４４４ｃが図１２に示す係合穴４２３に嵌入し、これにより、上下に４つ並ぶ取付穴４５１ａ，４５１ｂ，４５１ｃ，４５１ｄのうちの３番目の取付穴４５１ｃが、図１２に示す上下に２つ並ぶネジ穴４２２ａ，４２２ｂのうちの上のネジ穴４２２ａと一致するとともに、１番下の取付穴４５１ｄが下のネジ穴４２２ｂに一致する。この状態で２つの取付穴４５１ｃ，４５１ｄおよび２つのネジ穴４２２ａ，４２２ｂを使ってネジ止めすると、ＰＣ本体２０（図１参照）が最も低い位置に固定される。
【００５５】
ここで、図１２に示す取付金具４２０には、上下に並ぶ２つのネジ穴４２２ａ，４２２ｂが設けられているが、ネジ穴は上下方向に３つ以上並んでいて、より強固に締結する構造となっていてもよい。
【００５６】
また、図１４に示す取付穴４４２ａ，４４２ｂ，４４２ｃ，４４２ｄは、上下に４つ並んでいるが、ＰＣ本体２０の高さを上下２段階に調整するのであれば３つであってもよく、さらに多段に調整するために５つ以上並んでいてもよい。ただし、この取付穴の上下方向に並ぶ数は、図１２に示す取付金具４２０のネジ穴の、上下方向に並ぶ数よりも多い数設けられる。
【００５７】
また、図１４に示すようにここでは上下に３つ並ぶ突部４４４ａ，４４４ｂ，４４４ｃが設けられているが、この突部の数はＰＣ本体２０の高さ調整の段数に応じた数設けられる。さらに、図１５に示すフック係止穴４６１ａ，４６１ｂ，４６１ｃの数についても同様である。
【００５８】
さらに、ここに示した実施形態では、図１２に示す取付金具４２０にフック４２４が設けられ、モニタ取付部材４３０にフック係止穴４２６ａ，４２６ｂ，４２６ｃが設けられているが、これとは逆にモニタ取付部材４２０にフックを設け取付金具４２０にフックを設けてもよい。
【００５９】
さらに、ここに示した実施形態では、取付金具４２０に係合穴４２３が設けられモニタ取付部材４３０にその係合穴４２３に嵌入する突部４４４ａ，４４４ｂ，４４４ｃが設けられているが、これとは逆に、モニタ取付部材４２０に係合穴を設け、取付金具に突部を設けてもよい。
【００６０】
尚、図１４〜図１７では、樹脂製のカバー４１が取り外された状態を示したが、高さ調整を行ないネジ止めにより固定された後、図２に示すカバー４１が金属板４５０の上に被せられて樹脂板４４０の周縁部に係止され、図２に示すように支持機構４０が覆われた状態となる。
（アイコン表示）
図１８は、ＰＣ本体の表示画面を正面に見たときの右下部分の、内部を示す分解斜視図、図１９は、図１８の分解斜視図中に示す基板の構造を示す平面図、図２０は、図１８に矢印Ｙ−Ｙで示す部分の断面図である。
【００６１】
図１８の最下部には、図１に示すＰＣ本体２０の筐体を構成し、表示画面２１を取り巻くように枠状に形成された前カバー２１０の内面の形状が示されている。この前カバー２１０に覆われた部分には、図１８の上から順に、シールド板５１０、基板５２０、スペーサ３０、アイコンシート５４０が重ねられ、４本のネジ５５１により、前カバー２１の内面に立設したボス２１１の中央に設けられたネジ穴にネジ止めされている。
【００６２】
基板５２０上には、図１９に示すように、複数のＬＥＤ５２１が配置され、またその複数のＬＥＤ５２１のうちのいくつかのＬＥＤに対応して、ＬＥＤを囲うようにタッチセンサ用電極５２２が形成されている。
【００６３】
さらに、この基板５２０には、ネジ５５１（図１８参照）による固定用の穴５２３が形成され、さらにタッチセンサ用の回路配置部５２４が設けられ（具体的な回路については図示省略）、外部との間の電力および信号伝達用のコネクタ５２５が備えられている。
【００６４】
スペーサ５３０は、基板５２０とアイコンシート５４０との間を所定の間隔に保つためのものであり、スペーサ５３０には、ネジ止め用の取付穴５３１と基板５２０上のＬＥＤ５２１からの光の通過用の穴５３２が形成されている。
【００６５】
また、アイコンシート５４０には、基板５２０上のＬＥＤ５２１からの光が通過する光路上に、その通過光の輪郭を規定する形状の光透過部（アイコン；図示せず）だけ残して不透明に形成されており、さらに、ネジ止め用の孔５４１が形成されている。
【００６６】
シールド板５１０は、基板５２０を囲って、基板５２０上のタッチセンサが外部からの電磁ノイズで誤動作しないようにするためのものである。
【００６７】
前カバー２１０は、図２０に示すように、透明樹脂からなる基体２１２と、その外壁面に塗装により形成された塗膜２１３とを有する。この塗膜２１３は、前面カバー２１０の内側が覗かれないように内側を視界から遮蔽するとともに、基板５２０上のＬＥＤ５２１から発せられ、アイコンシート５４０を透過した光を写し出す役割りを担っている。したがって、図１に示すＰＣ本体２０に電源が投入され基板５２０上のＬＥＤ５２１が点灯してはじめて前面カバー２１上に様々なアイコンが現れることになる。このため、電源が入っていないときは煩雑さのないすっきりとしたデザインとなり、デザイン性が向上するとともに、電源投入時にＬＥＤを点灯させることで、電源が入っていることがユーザに分かり易く表現される。
【００６８】
また、基板５２０上のＬＥＤ５２１の囲りにタッチセンサ電極５２２が広がっており、そのタッチセンサ電極５２２の中央のＬＥＤ５１２の点灯により前面カバー２１上に現われるアイコンに指を重ねるとそのアイコンに対応するタッチセンサが反応し、ＰＣ本体２０ではそのタッチセンサに応じた動作が実行される。ここで、この図１８〜図２０に示す構造の場合、可動部を持たずに比較的簡易な構造で押ボタンと同等の働きを実現しており、薄型化、高耐久性を実現している。
【００６９】
ここで、例外として、電源ボタンに関しては、図１に示すように、電源ボタンの存在を表わすアイコン２２が前面カバー２１０上にシルク印刷されている。これは電源が入って始めてＬＥＤ５２１が点灯するため、電源ボタンを示すアイコンについては、ＬＥＤ点灯前、すなわち電源が入る前からその所在を示しておく必要があるからである。尚、電源ボタンを実現するためのタッチセンサについては電源投入前でも反応するよう、必要最小限の部分について電源が入った状態にある。
【００７０】
尚、ここでは、表示画面を保持するＰＣ本体２０の筐体と同じ筐体内にＣＰＵ等からなる演算回路が搭載されているＰＣについて説明したが、本件開示の内容を表示画面を保持する表示装置と、その表示装置とは別体の、ＣＰＵ等からなる演算回路等を備えた本体装置とを備え、それらの表示装置と本体装置がケーブルで接続された構造のＰＣに適用してもよく、あるいはＰＣ以外のテレビモニタ等に適用してもよい。
【図面の簡単な説明】
【００７１】
【図１】パーソナルコンピュータの外観斜視図である。
【図２】図１に示すＰＣの背面側を見た外観斜視図である。
【図３】回転台の側面図である。
【図４】回転台の底面図である。
【図５】回転台の、図４に切断線Ｘ−Ｘで示す部分の断面図である。
【図６】円環状の固定台の上面を示す斜視図である。
【図７】図６に示す固定台の部分拡大図である。
【図８】固定台とその固定台の上に乗ったスタンドプレートを、それらの底面側から見た図である。
【図９】図８に示す底面側の一部の拡大図である。
【図１０】図８と同様、固定台とスタンドプレートの底面を示す図である。
【図１１】スタンドプレートが、図８，図９とは逆方向の端まで回転した状態を示す一部拡大図である。
【図１２】ＰＣ本体２０の背面の、取付金具の部分を示す斜視図である。
【図１３】ＰＣ本体背面に固定されている取付金具をＰＣ本体から外しＰＣ本体側から見た斜視図である。
【図１４】ポールに固定されたモニタ取付部材をＰＣ本体側から見た図である。
【図１５】モニタ取付部材を金属板側から見た斜視図である。
【図１６】中央のフック係止穴にフックが入り込んでいる状態を示す、図１５と同様の図である。
【図１７】一番下のフック係止穴にフックが入り込んでいる状態を示す、図１５，図１６と同様の図である。
【図１８】ＰＣ本体の表示画面を正面に見たときの右下部分の、内部を示す分解斜視図である。
【図１９】図１８の分解斜視図に示す基板の構造を示す平面図である。
【図２０】図１８に矢印Ｙ−Ｙで示す部分の断面図である。
【符号の説明】
【００７２】
１０    ＰＣ
２０    ＰＣ本体
２１    表示画面
２２，４２    アイコン
３０    回転台
４１    カバー
２１０    前カバー
２１３    塗膜
３１０    固定台
３１１    ゴム足
３１２    グリス溜り
３１３，３１４    溝
３１５ａ，３１５ｂ    内端面
３１６，３１７    ストッパ
３２０    可動台
３２２    スタンドプレート
３２４    ソールプレート
３２４ａ    穴
３２５，４４１    ネジ
３２６    ボス
４１０    ポール
４２０    取付金具
４２１    取付面
４２４    フック
４２６ａ，４２６ｂ，４２６ｃ, ４６１ａ，４６１ｂ，４６１ｃ    フック係止穴
４２９    樹脂枠
４３０    モニタ取付部材
４４０    樹脂板
４４２ａ，４４２ｂ，４４２ｃ，４４２ｄ    ネジ挿通孔
４４３ａ，４４３ｂ，４４３ｃ，４４３ｄ    フック挿通孔
４４４ａ，４４４ｂ，４４４ｃ    突部
４５０    金属板
４５１ａ，４５１ｂ，４５１ｃ,４５１ｄ    取付穴
４６１ａ，４６１ｂ，４６１ｃ    フック係止穴
５１０    シールド板
５２０    基板
５２１    ＬＥＤ
５２２    タッチセンサ電極
５２３    固定用の穴
５２４    回路配置部
５３０    スペーサ
５４０    アイコンシート
５５１    ネジ
【図１】
2009252698.tif 000003
【図２】
2009252698.tif 000004
【図３】
2009252698.tif 000005
【図４】
2009252698.tif 000006
【図５】
2009252698.tif 000007
【図６】
2009252698.tif 000008
【図７】
2009252698.tif 000009
【図８】
2009252698.tif 000010
【図９】
2009252698.tif 000011
【図１０】
2009252698.tif 000012
【図１１】
2009252698.tif 000013
【図１２】
2009252698.tif 000014
【図１３】
2009252698.tif 000015
【図１４】
2009252698.tif 000016
【図１５】
2009252698.tif 000017
【図１６】
2009252698.tif 000018
【図１７】
2009252698.tif 000019
【図１８】
2009252698.tif 000020
【図１９】
2009252698.tif 000021
【図２０】
2009252698.tif 000022